(57)【要約】【課題】複数のネットワークが混在する無線通信システムにおいて、移動局装置の接続するネットワークが切り替わった場合であっても、移動局装置が利用しているサービスを継続して利用することができること。【解決手段】第１のネットワークと第２のネットワークとが混在する無線通信システムにおける移動局装置は、第１のネットワークを介して、所定のサービスに関する通信を他の移動局装置としている場合、通信するネットワークが第２のネットワークに切り替わる前に、他の移動局装置に接続するための接続情報を受信する接続情報受信部と、通信するネットワークが第２のネットワークに切り替わると、接続情報に基づいて他の移動局装置に接続してサービスを継続する実行部と、を備える。【選択図】図２
2015159502.tif 000002
【特許請求の範囲】
【請求項１】
第１のネットワークと第２のネットワークとが混在する無線通信システムにおける移動局装置であって、
前記第１のネットワークを介して、所定のサービスに関する通信を他の移動局装置としている場合、通信するネットワークが前記第２のネットワークに切り替わる前に、前記他の移動局装置に接続するための接続情報を受信する接続情報受信部と、
通信するネットワークが前記第２のネットワークに切り替わると、前記接続情報に基づいて前記他の移動局装置に接続して前記サービスを継続する実行部と、
を備えることを特徴とする移動局装置。
【請求項２】
前記実行部は、前記第１のネットワークと前記第２のネットワークとの間で相互接続可能な第１のサービスと相互接続不可能な第２のサービスとに関する通信を、前記第１のネットワークを介して他の移動局装置としている場合、通信するネットワークが前記第２のネットワークに切り替わると、前記第２のネットワークを介して前記第１のサービスを継続し、前記接続情報に基づいて前記他の移動局装置に接続して前記第２のサービスを継続する
ことを特徴とする請求項１に記載の移動局装置。
【請求項３】
第１のネットワークと第２のネットワークとが混在する無線通信システムであって、
移動局装置は、
前記第１のネットワークを介して、所定のサービスに関する通信を他の移動局装置としている場合、通信するネットワークが前記第２のネットワークに切り替わる前に、前記他の移動局装置に接続するための接続情報を受信する接続情報受信部と、
通信するネットワークが前記第２のネットワークに切り替わると、前記接続情報に基づいて前記他の移動局装置に接続して前記サービスを継続する実行部と、
を備える
ことを特徴とする無線通信システム。
【請求項４】
第１のネットワークと第２のネットワークとが混在する無線通信システムにおける無線通信方法であって、
移動局装置が、前記第１のネットワークを介して、所定のサービスに関する通信を他の移動局装置としている場合、通信するネットワークが前記第２のネットワークに切り替わる前に、前記他の移動局装置に接続するための接続情報を受信する第１のステップと、
前記移動局装置が、通信するネットワークが前記第２のネットワークに切り替わると、前記接続情報に基づいて前記他の移動局装置に接続して前記サービスを継続する第２のステップと、
を有することを特徴とする無線通信方法。
【請求項５】
第１のネットワークと第２のネットワークとが混在する無線通信システムにおける移動局装置としてのコンピュータに、
前記第１のネットワークを介して、所定のサービスに関する通信を他の移動局装置としている場合、通信するネットワークが前記第２のネットワークに切り替わる前に、前記他の移動局装置に接続するための接続情報を受信する第１のステップと、
通信するネットワークが前記第２のネットワークに切り替わると、前記接続情報に基づいて前記他の移動局装置に接続して前記サービスを継続する第２のステップと、
を実行させるためのプログラム。
【発明の詳細な説明】
【技術分野】
【０００１】
本発明は、移動局装置、無線通信システム、無線通信方法およびプログラムに関する。
【背景技術】
【０００２】
固定電話網や移動体通信網など、これまで回路スイッチ（ＣＳ：Ｃｉｒｃｕｉｔ  Ｓｗｉｔｃｈｉｎｇ、回線交換方式）やパケットスイッチ（ＰＳ：Ｐａｃｋｅｔ  Ｓｗｉｔｃｈｉｎｇ）が異なっていた公衆通信サービスを、ＩＰ（Ｉｎｔｅｒｎｅｔ  Ｐｒｏｔｏｃｏｌ）技術やインターネット電話で用いられるプロトコルＳＩＰ（Ｓｅｓｓｉｏｎ  Ｉｎｉｔｉａｔｉｏｎ  Ｐｒｏｔｏｃｏｌ)で統合し、マルチメディアサービスを実現させるＩＭＳ（ＩＰ  Ｍｕｌｔｉｍｅｄｉａ  Ｓｕｂｓｙｓｔｅｍ）が導入されはじめている。
ＩＭＳをサポートするＩＭＳネットワークでは、音声通信（ＩＰ電話、ＶｏＩＰ：Ｖｏｉｃｅ  ｏｖｅｒ  Ｉｎｔｅｒｎｅｔ)、映像通信（ＶＴ：ＶｉｄｅｏＴｅｌｅｐｈｏｎｙ）、テキストメッセージサービス（ＳＭＳ：Ｓｈｏｒｔ  Ｍｅｓｓａｇｅ  Ｓｅｒｖｉｃｅ）、共有ホワイトボード、インスタントメッセージやプレゼンス機能などがサービス可能である。以下、ＩＭＳで提供されるサービスをＩＭＳサービスと称する。
移動通信網におけるＬＴＥ（Ｌｏｎｇ  Ｔｅｒｍ  Ｅｖｏｌｕｔｉｏｎ）サービスにおいてもＩＭＳの導入が始まり、ＬＴＥにＩＭＳを導入して音声通信の品質保証を行うＶｏＬＴＥ（Ｖｏｉｃｅ  ｏｖｅｒ  ＬＴＥ)のサービスが始まりつつある。
しかしながら、現状の基地局装置および移動局装置が一斉にＩＭＳに対応するわけではないため、従来のIＭＳによらないサービスとの相互接続が必要となっている。
【０００３】
特許文献１には、ＩＭＳネットワークと従来のＣＳネットワークとを相互接続する方法が記載されている。特許文献１に記載の方法を用いることにより、ＩＭＳネットワークに接続した移動局装置と、ＣＳネットワークに接続した移動局装置との間での音声通信または映像通信が可能であり、各ネットワークで通信品質が保証されている場合、従来のＩｎｔｅｒｎｅｔ電話と異なり、音声の通信品質（リアルタイム性など）が保証される。
【先行技術文献】
【特許文献】
【０００４】
【特許文献１】特表２００９−５２５６８２号公報
【発明の概要】
【発明が解決しようとする課題】
【０００５】
しかしながら、特許文献１に記載された技術では、基本的な音声通信や映像通信については、その相互接続を保証しているが、ＩＭＳにおけるプレゼンスやホワイトボード共有などについては、相互接続のための設備をネットワーク側に導入することはコスト的及び効率的に困難である。従って、全てのＩＭＳサービスにおいて相互接続が担保されるわけではない。よって、例えば、ＩＭＳサービスを利用可能な複数の移動局装置が、それぞれＩＭＳサービスを利用可能なセルにおいて音声通信とデータ共有の通信とをしていたときに、一方の移動局装置がＩＭＳをサポートしていないセルに移動してしまった場合、音声通信のみは継続できるが、データ共有の通信は切断されてしまう、という問題がある。
【０００６】
本発明は上記の点に鑑みてなされたものであり、その目的は、複数のネットワークが混在する無線通信システムにおいて、移動局装置の接続するネットワークが切り替わった場合であっても、移動局装置が利用しているサービスを継続して利用することができる移動局装置、無線通信システム、無線通信方法およびプログラムを提供することにある。
【課題を解決するための手段】
【０００７】
（１）本発明は上記の課題を解決するためになされたものであり、本発明の一態様は、第１のネットワークと第２のネットワークとが混在する無線通信システムにおける移動局装置であって、前記第１のネットワークを介して、所定のサービスに関する通信を他の移動局装置としている場合、通信するネットワークが前記第２のネットワークに切り替わる前に、前記他の移動局装置に接続するための接続情報を受信する接続情報受信部と、通信するネットワークが前記第２のネットワークに切り替わると、前記接続情報に基づいて前記他の移動局装置に接続して前記サービスを継続する実行部と、を備えることを特徴とする移動局装置である。
【０００８】
（２）また、本発明の一態様は、第１のネットワークと第２のネットワークとが混在する無線通信システムであって、移動局装置は、前記第１のネットワークを介して、所定のサービスに関する通信を他の移動局装置としている場合、通信するネットワークが前記第２のネットワークに切り替わる前に、前記他の移動局装置に接続するための接続情報を受信する接続情報受信部と、通信するネットワークが前記第２のネットワークに切り替わると、前記接続情報に基づいて前記他の移動局装置に接続して前記サービスを継続する実行部と、を備えることを特徴とする無線通信システムである。
【０００９】
（３）また、本発明の一態様は、第１のネットワークと第２のネットワークとが混在する無線通信システムにおける無線通信方法であって、移動局装置が、前記第１のネットワークを介して、所定のサービスに関する通信を他の移動局装置としている場合、通信するネットワークが前記第２のネットワークに切り替わる前に、前記他の移動局装置に接続するための接続情報を受信する第１のステップと、前記移動局装置が、通信するネットワークが前記第２のネットワークに切り替わると、前記接続情報に基づいて前記他の移動局装置に接続して前記サービスを継続する第２のステップと、を有することを特徴とする無線通信方法である。
【００１０】
（４）また、本発明の一態様は、プログラムであって、第１のネットワークと第２のネットワークとが混在する無線通信システムにおける移動局装置としてのコンピュータに、前記第１のネットワークを介して、所定のサービスに関する通信を他の移動局装置としている場合、通信するネットワークが前記第２のネットワークに切り替わる前に、前記他の移動局装置に接続するための接続情報を受信する第１のステップと、通信するネットワークが前記第２のネットワークに切り替わると、前記接続情報に基づいて前記他の移動局装置に接続して前記サービスを継続する第２のステップと、を実行させるためのプログラムである。
【発明の効果】
【００１１】
本発明によれば、複数のネットワークが混在する無線通信システムにおいて、移動局装置の接続するネットワークが切り替わった場合であっても、移動局装置が利用しているサービスを継続して利用することができる。
【図面の簡単な説明】
【００１２】
【図１】本発明の第１の実施形態による無線通信システムの構成を示す概略図である。
【図２】第１の実施形態による移動局装置の構成を示すブロック図である。
【図３】第１の実施形態によるに係る移動局装置のハードウェア構成の一例を示すハードウェア構成図である。
【図４】第１の実施形態による第１の基地局装置の構成を示すブロック図である。
【図５】第１の実施形態による無線通信処理の動作を示すシーケンス図である。
【図６】本発明の第２の実施形態による無線通信処理の動作を示すシーケンス図である。
【図７】移動局装置が第２のネットワークから第１のネットワークへハンドオーバーすることを示す図である。
【発明を実施するための形態】
【００１３】
以下、図面を参照しながら本発明の実施形態について詳しく説明する。
（第１の実施形態）
まず、第１の実施形態について説明する。
図１は、本実施形態による無線通信システム１の構成を示す概略図である。無線通信システム１は、ＩＭＳをサポートする第１のネットワーク（例えば、ＩＭＳネットワーク）と、ＩＭＳをサポートしない第２のネットワーク（例えば、ＣＳネットワーク）とが混在する無線通信システムである。無線通信システム１は、複数の移動局装置１０と、１または複数の第１の基地局装置２０と、１または複数の第２の基地局装置４０と、相互接続装置５０とを含んで構成される。
【００１４】
移動局装置１０は、スマートフォン、携帯電話機、タブレット端末等の端末装置である。移動局装置１０は、第１の基地局装置２０とＬＴＥにより無線通信する。また、移動局装置１０は、第２の基地局装置４０とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）により無線通信する。
【００１５】
第１の基地局装置２０は、第１のネットワークに接続する基地局である。第１の基地局装置２０は、ＬＴＥにより移動局装置１０と通信する。また、第２の基地局装置４０は、第２のネットワークに接続する基地局である。第２の基地局装置４０は、ＷＣＤＭＡ（登録商標）により移動局装置１０と通信する。以下、第１の基地局装置２０または第２の基地局装置４０の通信範囲をセル３０と称する。
【００１６】
相互接続装置５０は、電話通信（音声通信または映像通信）において、第１のネットワークと第２のネットワークとを相互接続機能（ＳＲＶＣＣ：Ｓｉｎｇｌｅ  Ｒａｄｉｏ  Ｖｏｉｃｅ  Ｃａｌｌ  Ｃｏｎｔｉｎｕｉｔｙ）により相互接続する。
【００１７】
以下、説明の便宜を図るため、２台の第１の基地局装置２０のそれぞれに対しＡ，Ｂの符号を割り当て、第１の基地局装置２０Ａ、２０Ｂと記す。なお、各第１の基地局装置２０Ａ、２０Ｂに共通する事項については、Ａ，Ｂの符号を省略し、単に「第１の基地局装置２０」と記す。また、第１の基地局装置２０Ａの通信範囲をセル３０Ａとし、第１の基地局装置２０Ｂの通信範囲をセル３０Ｂとし、第２の基地局装置４０の通信範囲をセル３０Ｃとする。また、２台の移動局装置１０のそれぞれに対しＡ，Ｂの符号を割り当て、移動局装置１０Ａ、１０Ｂと記す。なお、各移動局装置１０Ａ、１０Ｂに共通する事項については、Ａ，Ｂの符号を省略し、単に「移動局装置１０」と記す。
【００１８】
本図において、移動局装置１０Ａは第１の基地局装置２０Ａのセル３０Ａ内におり、移動局装置１０Ｂは第１の基地局装置２０Ｂのセル３０Ｂ内にいる。移動局装置１０Ａと移動局装置１０Ｂとは、ＩＭＳサービスを利用して音声通信とデータ共有の通信とを行っている。移動局装置１０Ａは、第１の基地局装置２０Ａを介して第１のネットワークに接続してＩＭＳサービスを利用している。また、移動局装置１０Ｂは、第１の基地局装置２０Ｂを介して第１のネットワークに接続してＩＭＳサービスを利用している。すなわち、移動局装置１０Ａと移動局装置１０Ｂとは、ＩＭＳサービスで提供される音声通信とデータ共有の通信とを行っている。
【００１９】
移動局装置１０Ａは、移動に伴い、現在通信中の第１の基地局装置２０Ａから受信する電波が弱くなった場合、第１の基地局装置２０Ａと隣接するセル３０を有する第１の基地局装置２０または第２の基地局装置４０をサーチする。移動局装置１０Ａは、第２の基地局装置４０から受信する電波が強くなり、第２の基地局装置４０を検出した場合、通信する基地局装置を第１の基地局装置２０Ａから第２の基地局装置４０に切り替える（ハンドオーバーする）。このとき、第２の基地局装置４０はＩＭＳをサポートしないため、移動局装置１０ＡはＩＭＳサービスを継続して利用することができない。このため、移動局装置１０Ａと移動局装置１０Ｂとの音声通信は、相互接続装置５０を介した音声通信に切り替わる。
【００２０】
しかしながら、相互接続装置５０はデータ共有に関する相互接続をサポートしていないため、相互接続装置５０を介してデータ共有の通信をすることができない。このため、移動局装置１０Ａは、第２のネットワークを介して移動局装置１０Ｂに接続してデータ共有の通信を行う。具体的には、まず、移動局装置１０Ａは、第２の基地局装置４０から取得したネットワーク情報に基づいて、第２の基地局装置４０がＩＭＳをサポートしているか否かを判定する。ネットワーク情報は、基地局装置のネットワークに関する情報であり、ネットワークがＩＭＳをサポートしているか否かの情報や相互接続装置５０が相互接続するサービスを示す情報を含む。移動局装置１０Ａは、第２の基地局装置４０がＩＭＳをサポートしていないと判定すると、第１の基地局装置２０Ａから第２の基地局装置４０にハンドオーバーする前に、第２のネットワークを介して移動局装置１０Ｂに接続するための接続情報を移動局装置１０Ｂから取得する。接続情報は、例えば、アクセス先や認証方法であり、具体的にはＩＰ接続するためのＩＰアドレスやポート番号、パスワード等である。移動局装置１０Ａは、ＳＭＳやインスタントメッセージ等のＩＭＳサービスにより接続情報を移動局装置１０Ｂから受信する。移動局装置１０Ａは、第２の基地局装置４０にハンドオーバーすると、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）などのデータ通信において、第２の基地局装置４０との接続処理を行い、新しいＩＰアドレスを取得する。そして、移動局装置１０Ａは、移動局装置１０Ｂから取得した接続情報に基づいて、移動局装置１０Ｂに接続してデータ共有の通信を再開する。
【００２１】
これにより、移動局装置１０Ａは、第１の基地局装置２０から第２の基地局装置４０にハンドオーバーした場合であっても、移動局装置１０Ｂとの音声通信およびデータ共有の通信を継続することができる。
【００２２】
次に、本実施形態による移動局装置１０の構成について説明する。
図２は、本実施形態による移動局装置１０の構成を示すブロック図である。
移動局装置１０は、アプリケーション実行部１０１と、制御部１０２と、第１通信装置１０３と、第２通信装置１０４と、送信部１０５と、受信部１０６と、送信用アンテナ１０７と、受信用アンテナ１０８と、記憶部１０９と、を含んで構成される。
【００２３】
アプリケーション実行部１０１は、通話実行部１１１と、サービス実行部１１２と、第１通信制御部１１３と、第２通信制御部１１４と、接続情報受信部１１５として機能し、アプリケーションを実行する。通話実行部１１１は、他の移動局装置１０との音声通信または映像通信を実行する。音声通信および映像通信は、相互接続装置５０により第１のネットワークと第２のネットワークとの間で相互接続可能なサービスである。通話実行部１１１は、第１のネットワークを介して他の移動局装置１０と通話（音声通信または映像通信）をしているときに、通信するネットワークが第２のネットワークに切り替わると、第２のネットワークを介して通話を継続する。サービス実行部１１２は、音声通信および映像通信以外のマルチメディアサービスを実行する。マルチメディアサービスには、例えば、データ共有や、テキストメッセージサービス（ＳＭＳ）、インスタントメッセージやプレゼンス機能等がある。サービス実行部１１２は、第１のネットワークを介して他の移動局装置１０とマルチメディアサービスの通信をしているときに、通信するネットワークが第２のネットワークに切り替わると、第２のネットワークを介して相互接続可能なサービスを継続し、接続情報受信部１１５が受信した接続情報に基づいて通信相手の移動局装置１０に接続して相互接続不可能なサービスを継続する。相互接続可能なサービスは、相互接続装置５０により第１のネットワークと第２のネットワークとの間で相互接続可能なサービスである。また、相互接続不可能なサービスは、相互接続装置５０により第１のネットワークと第２のネットワークとの間で相互接続不可能なサービスである。
【００２４】
第１通信制御部１１３は、移動局装置１０の通信するネットワークが第１のネットワークである場合に、第１通信装置１０３を介して、ＩＭＳに応じた通信処理を実行する。第２通信制御部１１４は、移動局装置１０の通信するネットワークが第２のネットワークである場合に、第２通信装置１０４を介して、ＣＳに応じた通信処理を実行する。接続情報受信部１１５は、第１のネットワークを介して、通話実行部１１１またはサービス実行部１１２が他の移動局装置１０と通信している場合、通信するネットワークが第２のネットワークに切り替わる前に、通信相手の移動局装置１０から接続情報を受信する。具体的には、接続情報受信部１１５は、通信相手の移動局装置１０に接続情報を要求するデータを送信し、通信相手の移動局装置１０から接続情報を受信する。接続情報受信部１１５は、受信した接続情報を記憶部１０９に書き込んで記憶する。
【００２５】
制御部１０２は、移動局装置１０を統括して制御する。制御部１０２は、現在通信している基地局装置（第１の基地局装置２０または第２の基地局装置４０）からの電波が所定値を下回ると、通信している基地局装置へ電波が所定値を下回ったことを通知する。そして、制御部１０２は、自装置が利用可能な他の基地局装置をサーチして検出し、検出した基地局装置をハンドオーバー先の基地局装置と判定する。制御部１０２は、ハンドオーバーする前に、ハンドオーバー先の基地局装置からネットワーク情報を受信し、受信したネットワーク情報に基づいてハンドオーバー先の基地局装置がＩＭＳサービスを利用可能か否か判定する。制御部１０２は、ハンドオーバー先の基地局装置がＩＭＳサービスを利用不可能であると判定した場合、受信したネットワーク情報に基づいて、相互接続装置５０により相互接続可能なサービスを判定する。そして、制御部１０２は、ハンドオーバー先のネットワークがＩＭＳサービスを利用できないことと相互接続可能なサービスとをアプリケーション実行部１０１に通知する。その後、制御部１０２は、ハンドオーバー先の基地局装置へハンドオーバーする。制御部１０２は、第１の基地局装置２０から第２の基地局装置４０へハンドオーバーする場合、通信先が第２のネットワークに切り替わったことをアプリケーション実行部１０１に通知するとともに、第２の基地局装置４０と通信する通信装置を第１通信装置１０３から第２通信装置１０４に切り替える。また、制御部１０２は、第２の基地局装置４０から第１の基地局装置２０へハンドオーバーする場合、通信先が第１のネットワークに切り替わったことをアプリケーション実行部１０１に通知するとともに、第１の基地局装置２０と通信する通信装置を第２通信装置１０４から第１通信装置１０３に切り替える。
【００２６】
第１通信装置１０３は、送信部１０５または受信部１０６を介して、ＬＴＥにより第１の基地局装置２０と通信する。また、第２通信装置１０４は、送信部１０５または受信部１０６を介して、ＷＣＤＭＡ（登録商標）により第２の基地局装置４０と通信する。送信部１０５は、送信用アンテナ１０７を介してデータを送信する。受信部１０６は、受信用アンテナ１０８を介してデータを受信する。送信用アンテナ１０７は、データを送信するためのアンテナである。受信用アンテナ１０８は、データを受信するためのアンテナである。記憶部１０９は、種々の情報を記憶する。記憶部１０９は、例えば、他の移動局装置１０から取得した接続情報を記憶する。
【００２７】
図３は、本実施形態に係る移動局装置１０のハードウェア構成の一例を示すハードウェア構成図である。
移動局装置１０は、ＣＰＵ５０１（Ｃｅｎｔｒａｌ  Ｐｒｏｃｅｓｓｉｎｇ  Ｕｎｉｔ）と、記憶媒体５０２と、ドライブ部５０３と、入力部５０４と、出力部５０５と、ＲＯＭ５０６（Ｒｅａｄ  Ｏｎｌｙ  Ｍｅｍｏｒｙ：ロム）と、ＲＡＭ５０７（Ｒａｎｄｏｍ  Ａｃｃｃｅｓｓ  Ｍｅｍｏｒｙ：ラム）と、補助記憶部５０８と、通信部５０９と、を備える。
ＣＰＵ５０１と、ドライブ部５０３と、入力部５０４と、出力部５０５と、ＲＯＭ５０６と、ＲＡＭ５０７と、補助記憶部５０８と、通信部５０９とは、バスＢ（母線）を介して相互に接続される。
【００２８】
ＣＰＵ５０１は、補助記憶部５０８が記憶するプログラム、ＲＯＭ５０６およびＲＡＭ５０７が記憶する各種データを読み出して実行し、相互接続装置５０を制御する。また、ＣＰＵ５０１は、ドライブ部５０３を介して記憶媒体５０２が記憶する各種データを読み出して実行し、相互接続装置５０を制御する。記憶媒体５０２は、光磁気ディスク、フレキシブルディスク、フラッシュメモリなどの可搬記憶媒体であり、各種データを記憶する。ドライブ部５０３は、光ディスクドライブ、フレキシブルディスクドライブなどの記憶媒体５０２の読み出し装置である。入力部５０４は、マウス、キーボード、タッチパネルなどの入力装置である。出力部５０５は、表示部、スピーカなどの出力装置である。ＲＯＭ５０６、ＲＡＭ５０７は、各種データを一時的に記憶する。補助記憶部５０８は、ハードディスクドライブ、フラッシュメモリなどであり、上述した相互接続装置５０の各機能部を動作させるためのプログラム、各種データを記憶する。通信部５０９は、通信インターフェースを有し、有線または無線によりネットワークＮＷに接続される。
【００２９】
次に、本実施形態による第１の基地局装置２０と第２の基地局装置４０との構成について説明する。
図４は、本実施形態による第１の基地局装置２０の構成を示すブロック図である。
第１の基地局装置２０は、制御部２０１と、記憶部２０２と、ネットワーク通信部２０３と、通信部２０４と、を含んで構成される。
制御部２０１は、第１の基地局装置２０を統括して制御する。例えば、制御部２０１は、移動局装置１０からネットワーク情報を要求するデータを受信すると、自装置のネットワーク情報を移動局装置１０に返信する。記憶部２０２は、自装置のネットワーク情報等、種々の情報を記憶する。ネットワーク通信部２０３は、他の第１の基地局装置２０または第２の基地局装置４０と通信する。通信部２０４は、移動局装置１０と通信する。
第２の基地局装置４０の構成は、第１の基地局装置２０の構成と同様であるため、その説明を省略する。
【００３０】
次に、移動局装置１０が第１の基地局装置２０から第２の基地局装置４０にハンドオーバーする場合における、無線通信システム１の動作について説明する。図５は、本実施形態による無線通信処理の動作を示すシーケンス図である。本図には、移動局装置１０Ａと移動局装置１０ＢとがＩＭＳサービスにより音声通信およびデータ共有の通信をしているときに、移動局装置１０Ａが第１の基地局装置２０Ａから第２の基地局装置４０にハンドオーバーする場合における処理を示す。
【００３１】
移動局装置１０Ａは、第１の基地局装置２０Ａと通信してＩＭＳサービスに登録している（ステップＳ１０１）。一方、移動局装置１０Ｂは、第１の基地局装置２０Ｂと通信してＩＭＳサービスに登録している（ステップＳ１０２）。移動局装置１０Ａと移動局装置１０Ｂとは、ＩＭＳサービスによる音声通信とデータ共有の通信により接続している（ステップＳ１０３）。
【００３２】
移動局装置１０Ａは、移動に伴い、第１の基地局装置２０Ａから受信する電波が弱くなると、第１の基地局装置２０Ａに近接するセル３０Ｃを持つ第２の基地局装置４０を検出する（ステップＳ１０４）。移動局装置１０Ａは、第２の基地局装置４０を検出すると、第２の基地局装置４０にＩＭＳサービスのサポート状況に関するネットワーク情報を要求するデータを送信する。具体的には、移動局装置１０Ａは、ＴＡＵ（Ｔｒａｃｋｉｎｇ  Ａｒｅａ  Ｕｐｄａｔｅ）／ＲＡＵ（Ｒｏｕｔｉｎｇ  Ａｒｅａ  Ｕｐｄａｔｅ）／ＬＡＵ（Ｌｏｃａｔｉｏｎ  Ａｒｅａ  Ｕｐｄａｔｅ）  Ｒｅｑｕｅｓｔなどを用いてネットワーク情報を要求する。第２の基地局装置４０は、ネットワーク情報を要求するデータを受信すると、自装置のネットワーク情報を移動局装置１０Ａに返信する。具体的には、第２の基地局装置４０は、ＴＡＵ／ＲＡＵ／ＬＡＵ  Ａｃｃｅｐｔなどを用いてネットワークのサポート情報を返信する。移動局装置１０Ａは、取得したネットワーク情報に基づいて第２の基地局装置４０がＩＭＳをサポートしていない（ＷＣＤＭＡ（登録商標）で通信する）ことを判定する。移動局装置１０Ａは、ハンドオーバー先の第２の基地局装置４０がＩＭＳをサポートしていないため、接続情報を要求するデータを移動局装置１０Ｂに送信する（ステップＳ１０５）。移動局装置１０Ｂは、移動局装置１０Ａから接続情報を要求するデータを受信すると、自装置の接続情報を移動局装置１０Ａに返信する（ステップＳ１０６）。
【００３３】
移動局装置１０Ａは、移動局装置１０Ｂから接続情報を受信すると、受信した接続情報を記憶部１０９に書き込んで保存する（ステップＳ１０７）。続いて、移動局装置１０Ａは、第１の基地局装置２０Ａから第２の基地局装置４０へハンドオーバーする（ステップＳ１０８）。移動局装置１０Ａは、第２の基地局装置４０との接続処理を行い、新しいＩＰアドレスを取得する。移動局装置１０Ａは、第２の基地局装置４０から受信したネットワーク情報に基づいて、音声通話が相互接続可能なサービスであると判定する。このため、移動局装置１０Ａと移動局装置１０Ｂとは、相互接続装置５０を介して音声通信を継続する（ステップＳ１０９）。一方、移動局装置１０Ａは、第２の基地局装置４０から受信したネットワーク情報に基づいて、データ共有が相互接続不可能なサービスであると判定する。このため、移動局装置１０Ａは、ステップＳ１０７において保存した接続情報に基づいて、移動局装置１０Ｂに接続する（ステップＳ１１０）。そして、移動局装置１０Ａと移動局装置１０Ｂとはデータ共有の通信を再開する（ステップＳ１１１）。
【００３４】
上述した例では、音声通信とデータ共有の通信とをする電話会議アプリを例に説明したが、これに限らず、ＩＭＳサービスで提供する、ＳＭＳ、映像通信、プレゼンス、インスタントメッセージなどでも同様の処理によりサービスを継続することができる。
【００３５】
このように、本実施形態によれば、移動局装置１０は、ＩＭＳをサポートする第１の基地局装置２０からＩＭＳをサポートしない第２の基地局装置４０にハンドオーバーする前に、通信している他の移動局装置１０の接続情報を取得する。そして、移動局装置１０は、第１の基地局装置２０から第２の基地局装置４０にハンドオーバーすると、取得した接続情報に基づいて、当該他の移動局装置１０に接続する。これにより、ＩＭＳをサポートする第１のネットワークとＩＭＳをサポートしない第２のネットワークが混在する無線通信システムにおいて、移動局装置１０の移動によりＩＭＳサービスを継続できない場合であっても、利用中のマルチメディアサービスを継続して利用可能となる。また、ユーザの操作を伴うことなく、移動局装置１０が自動的に通信を継続するため、利便性が向上する。
また、移動局装置１０は、相互接続装置５０が相互接続をサポートしていない相互接続不可能なサービスのみ、接続情報に基づいた接続で通信している。すなわち、移動局装置１０は、相互接続可能なサービス（例えば、音声通信や映像通信）は相互接続装置５０を介して通信する。これにより、相互接続可能なサービス（音声通信および映像通信）の品質保証（例えば、リアルタイム性など）がなされる。
【００３６】
（第２の実施形態）
次に、本発明の第２の実施形態について説明する。
本実施形態による無線通信システム１の構成は、図１に示す第１の実施形態における無線通信システム１の構成と同様である。また、本実施形態による移動局装置１０の構成は、図２に示す第１の実施形態における移動局装置１０の構成と同様である。また、本実施形態による第１の基地局装置２０および第２の基地局装置４０の構成は、図４に示す第１の実施形態における第１の基地局装置２０の構成と同様である。第１の実施形態による移動局装置１０は、第１の基地局装置２０から第２の基地局装置４０へハンドオーバーする直前に通信相手の移動局装置１０から接続情報を取得しているが、本実施形態による移動局装置１０は、ＩＭＳサービスによる通信を開始すると、互いの接続情報を交換する。
【００３７】
図６は、本実施形態による無線通信処理の動作を示すシーケンス図である。本図には、移動局装置１０Ａと移動局装置１０ＢとがＩＭＳサービスにより音声通信およびデータ共有の通信をしているときに、移動局装置１０Ａが第１の基地局装置２０Ａから第２の基地局装置４０にハンドオーバーする場合における処理を示す。
【００３８】
移動局装置１０Ａは、第１の基地局装置２０Ａと通信してＩＭＳサービスに登録している（ステップＳ２０１）。一方、移動局装置１０Ｂは、第１の基地局装置２０Ｂと通信してＩＭＳサービスに登録している（ステップＳ２０２）。移動局装置１０Ａと移動局装置１０Ｂとは、ＩＭＳサービスによる音声通信とデータ共有の通信により接続している（ステップＳ２０３）。
【００３９】
移動局装置１０Ｂは、移動局装置１０ＡとＩＭＳサービスによる通信を開始すると、自装置の接続情報を移動局装置１０Ａに送信する（ステップＳ２０４）。移動局装置１０Ａは、移動局装置１０Ｂから接続情報を受信すると、受信した接続情報を記憶部１０９に書き込んで保存する（ステップＳ２０５）。また、移動局装置１０Ａは、移動局装置１０ＢとＩＭＳサービスによる通信を開始すると、自装置の接続情報を移動局装置１０Ｂに送信する（ステップＳ２０６）。移動局装置１０Ｂは、移動局装置１０Ａから接続情報を受信すると、受信した接続情報を記憶部１０９に書き込んで保存する（ステップＳ２０７）。
【００４０】
移動局装置１０Ｂは、セル３０を移動すること等により、ＩＰアドレス等のネットワークに関する情報が更新される（ステップＳ２０８）と、更新されたネットワークに関する情報を含む接続情報を移動局装置１０Ａに送信する（ステップＳ２０９）。移動局装置１０Ａは、更新された接続情報を受信すると、受信した接続情報を記憶部１０９に上書き保存する（ステップＳ２１０）。
【００４１】
移動局装置１０Ａは、移動に伴い、第１の基地局装置２０Ａから第２の基地局装置４０へハンドオーバーする（ステップＳ２１１）。移動局装置１０Ａは、第２の基地局装置４０との接続処理を行い、新しいＩＰアドレスを取得する。なお、移動局装置１０Ａは、ハンドオーバーする前に、第２の基地局装置４０にＩＭＳサービスのサポート状況に関するネットワーク情報を要求するデータを送信する。具体的には、移動局装置１０Ａは、ＴＡＵ（Ｔｒａｃｋｉｎｇ  Ａｒｅａ  Ｕｐｄａｔｅ）／ＲＡＵ（Ｒｏｕｔｉｎｇ  Ａｒｅａ  Ｕｐｄａｔｅ）／ＬＡＵ（Ｌｏｃａｔｉｏｎ  Ａｒｅａ  Ｕｐｄａｔｅ）  Ｒｅｑｕｅｓｔなどを用いてネットワーク情報を要求する。第２の基地局装置４０は、移動局装置１０Ａからネットワーク情報を要求するデータを受信すると、自装置のネットワーク情報を移動局装置１０Ａに返信する。具体的には、第２の基地局装置４０は、ＴＡＵ／ＲＡＵ／ＬＡＵ  Ａｃｃｅｐｔなどを用いてネットワークのサポート情報を返信する。移動局装置１０Ａは、第２の基地局装置４０から受信したネットワーク情報に基づいて音声通信が相互接続可能なサービスであると判定する。そのため、移動局装置１０Ａと移動局装置１０Ｂとは、相互接続装置５０を介して音声通信を継続する（ステップＳ２１２）。続いて、移動局装置１０Ａは、第２の基地局装置４０から受信したネットワーク情報に基づいてデータ共有が相互接続不可能なサービスであると判定する。このため、移動局装置１０Ａは、ステップＳ２１０において保存した接続情報に基づいて、移動局装置１０Ｂに接続する（ステップＳ２１３）。そして、移動局装置１０Ａと移動局装置１０Ｂとはデータ共有の通信を再開する（ステップＳ２１４）。
【００４２】
このように、本実施形態によれば、移動局装置１０は、他の移動局装置１０とＩＭＳサービスによる通信を開始したときに接続情報を交換する。また、移動局装置１０は、自装置の接続情報が更新されると、更新した接続情報を通信相手の移動局装置１０に送信する。これにより、移動局装置１０は、より確実に通信相手の移動局装置１０の接続情報を取得することができる。よって、本実施形態によれば、第１の実施形態の効果に加えて、移動局装置１０がＩＭＳサービスによる通信中に、第２の基地局装置４０にハンドオーバーした場合であっても、より確実にマルチメディアサービスの通信を継続することができる。
【００４３】
なお、上述した実施形態における移動局装置１０の一部、例えば、アプリケーション実行部１０１または制御部１０２をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、移動局装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述した実施形態では、移動局装置１０が第１の基地局装置２０から第２の基地局装置４０にハンドオーバーする場合について説明したが、図７に示すように、移動局装置１０が第２の基地局装置４０から第１の基地局装置２０にハンドオーバー（第２のネットワークから第１のネットワークにハンドオーバー）する場合であっても、同様の処理によりマルチメディアサービスを継続することができる。
【００４５】
（付記１）第１のネットワークと第２のネットワークとが混在する無線通信システムにおける移動局装置であって、第１のネットワークを介して、所定のサービスに関する通信を他の移動局装置としている場合、通信するネットワークが第２のネットワークに切り替わる前に、他の移動局装置に接続するための接続情報を受信する接続情報受信部と、通信するネットワークが第２のネットワークに切り替わると、前記接続情報に基づいて他の移動局装置に接続してサービスを継続する実行部と、を備えることを特徴とする移動局装置。
【００４６】
（付記２）実行部は、第１のネットワークと第２のネットワークとの間で相互接続可能な第１のサービスと相互接続不可能な第２のサービスとに関する通信を、第１のネットワークを介して他の移動局装置としている場合、通信するネットワークが第２のネットワークに切り替わると、第２のネットワークを介して第１のサービスを継続し、接続情報に基づいて他の移動局装置に接続して第２のサービスを継続することを特徴とする付記１に記載の移動局装置。
【００４７】
（付記３）第１のネットワークと第２のネットワークとが混在する無線通信システムであって、移動局装置は、第１のネットワークを介して、所定のサービスに関する通信を他の移動局装置としている場合、通信するネットワークが第２のネットワークに切り替わる前に、他の移動局装置に接続するための接続情報を受信する接続情報受信部と、通信するネットワークが第２のネットワークに切り替わると、接続情報に基づいて他の移動局装置に接続してサービスを継続する実行部と、を備えることを特徴とする無線通信システム。
【００４８】
（付記４）第１のネットワークと第２のネットワークとが混在する無線通信システムにおける無線通信方法であって、移動局装置が、第１のネットワークを介して、所定のサービスに関する通信を他の移動局装置としている場合、通信するネットワークが第２のネットワークに切り替わる前に、他の移動局装置に接続するための接続情報を受信する第１のステップと、移動局装置が、通信するネットワークが第２のネットワークに切り替わると、接続情報に基づいて他の移動局装置に接続してサービスを継続する第２のステップと、を有することを特徴とする無線通信方法。
【００４９】
（付記５）第１のネットワークと第２のネットワークとが混在する無線通信システムにおける移動局装置としてのコンピュータに、第１のネットワークを介して、所定のサービスに関する通信を他の移動局装置としている場合、通信するネットワークが第２のネットワークに切り替わる前に、他の移動局装置に接続するための接続情報を受信する第１のステップと、通信するネットワークが第２のネットワークに切り替わると、接続情報に基づいて他の移動局装置に接続してサービスを継続する第２のステップと、を実行させるためのプログラム。
【符号の説明】
【００５０】
１…無線通信システム  １０…移動局装置  ２０…第１の基地局装置  ３０…セル  ４０…第２の基地局装置  ５０…相互接続装置  １０１…アプリケーション実行部  １０２…制御部  １０３…第１通信装置  １０４…第２通信装置  １０５…送信部  １０６…受信部  １０７…送信用アンテナ  １０８…受信用アンテナ  １０９…記憶部  １１１…通話実行部  １１２…サービス実行部  １１３…第１通信制御部  １１４…第２通信制御部  １１５…接続情報受信部  ２０１…制御部  ２０２…記憶部  ２０３…ネットワーク通信部  ２０４…通信部
【図１】
2015159502.tif 000003
【図２】
2015159502.tif 000004
【図３】
2015159502.tif 000005
【図４】
2015159502.tif 000006
【図５】
2015159502.tif 000007
【図６】
2015159502.tif 000008
【図７】
2015159502.tif 000009